(57)【要約】【課題】ランプ取扱時に発光管にトルク応力が加わっても十分な強度を確保できる電球形蛍光ランプ、およびこの電球形蛍光ランプを用いた照明器具を提供することを目的とする。【解決手段】補強手段５０としての旋回部スペーサー５１を、旋回部３２の隣り合うバルブの旋回状の隙間に、介在しているので、器具へのランプ取り付け取外しなどの作業において、旋回部３２にトルク応力を加えたり、旋回部３２を強く握ったとしても旋回部３２の変形が抑制されその応力を旋回部スペーサー５１によりバルブ全体に分散できるので発光管１４の破損を抑制することができる。さらに、折り返し部スペーサー５２を設けることで、旋回部３２に加わったトルク圧力により旋回部３２が破損しない程度に変形し、折り返し部３５に応力が加わったとしても、折り返し部スペーサー５２により折り返し部３５が変形することを抑制できる。【選択図】図１
2011023193.tif 000002
【特許請求の範囲】
【請求項１】
中間部に折り返し部が設けられ、この折り返し部から両端部側には旋回軸の周りを互いに旋回する旋回部が設けられた二重螺旋状のガラスバルブを有し、このバルブの両端部に一対の電極が封装された発光管と；
一端側に口金を備え他端側に発光管のガラスバルブ両端部が取付けられたカバーと；
カバー内に収容される点灯装置と；
カバーの他端に配置され、発光管を支持するホルダと；
少なくとも旋回部の隣り合うガラスバルブの間に設けられた旋回部補強手段と；
を具備していることを特徴とする電球形蛍光ランプ。
【請求項２】
前記折り返し部とこの折り返し部に隣接する旋回部との間に形成される隙間に折り返し部補強手段が設けられていることを特徴とする請求項１記載の電球形蛍光ランプ。
【請求項３】
ソケットが設けられた器具本体と；
器具本体のソケットに装着される請求項１または２記載の電球形蛍光ランプと；
を具備していることを特徴とする照明器具。
【発明の詳細な説明】
【技術分野】
【０００１】
本発明は、電球形蛍光ランプおよびこの電球形蛍光ランプを具備した照明装置に関する。
【背景技術】
【０００２】
電球形蛍光ランプは、屈曲形のバルブを有する発光管、一端に口金を取り付け他端側で発光管を支持するカバー、このカバー内に収容される点灯装置等で構成されており、発光管をグローブで覆うグローブタイプと、グローブを用いず発光管が外方に露出する露出タイプとがある。
【０００３】
この電球形蛍光ランプは、小形化や光束出力を高めるために、管径の比較的細いバルブを螺旋状に形成した旋回部を形成することで放電路長を比較的長く確保している（例えば、特許文献１参照）。
【先行技術文献】
【特許文献】
【０００４】
【特許文献１】特開２００６−１２７３８３号公報
【発明の概要】
【発明が解決しようとする課題】
【０００５】
螺旋状のバルブを有する電球形蛍光ランプは、一対のバルブ端部をホルダに形成された一対の挿入孔に挿入し、バルブ端部の外周面とホルダの裏面との間に接着剤を塗布することで両者を接着固定している。
【０００６】
螺旋状のバルブが露出する電球形蛍光ランプにおいては、旋回部をつかみながら旋回軸を中心にバルブを回転させることでランプの取り付けまたは取外しを行うため、旋回部分にトルク応力が直接加わり、旋回部の強度が低い場合にはバルブが破損することから、所定の強度を確保する必要がある。
【０００７】
本発明は、このような点に鑑みなされたもので、ランプ取扱時に発光管にトルク応力が加わっても十分な強度を確保できる電球形蛍光ランプ、およびこの電球形蛍光ランプを用いた照明器具を提供することを目的とする。
【課題を解決するための手段】
【０００８】
請求項１記載の電球形蛍光ランプは、中間部に折り返し部が設けられ、この折り返し部から両端部側には旋回軸の周りを互いに旋回する旋回部が設けられた二重螺旋状のガラスバルブを有し、このバルブの両端部に一対の電極が封装された発光管と；一端側に口金を備え他端側に発光管のガラスバルブ両端部が取付けられたカバーと；カバー内に収容される点灯装置と；カバーの他端に配置され、発光管を支持するホルダと；少なくとも旋回部の隣り合うガラスバルブの間に設けられた旋回部補強手段と；を具備しているものである。
【０００９】
発光管の両端部は、直管状であっても、螺旋状であっても構わない。
【００１０】
旋回部補強手段は、点灯中の熱影響およびバルブの熱変形や蛍光ランプからの紫外線を受けるため、これらの影響により劣化しにくいものが好ましい。さらに、螺旋状に形成されたバルブ内側から照射光を効率よく外方向に照射させるために、透光性を有するもが好ましい。しかし、高反射材料からなるものであってもよい。例えばセメントや、シリコーン樹脂などから形成されているものが挙げられる。また、その硬度は３０〜６０ＪＩＳ・Ａであれば、旋回部における隣接するバルブ間の隙間が減少する方向にバルブが変形することを抑制できるとともに、補強手段自体の熱膨張、熱収縮によるバルブ破損等を抑制することが可能である。シリコーン樹脂である場合には、自然硬化形シリコーン樹脂であっても熱硬化形シリコーン樹脂であっても構わない。なお、補強手段の硬度、硬化前の粘度等は、本発明の作用効果が発揮されることを前提として特に限定されるものではない。
【００１１】
旋回部の隣り合うバルブ領域とは、一対のバルブ端部および折り返し部近傍ならびにこれらに近接する旋回部を除いた領域を示す。すなわち、頂部から一対のバルブ端部に向かい略同ピッチにて旋回し旋回部に形成される旋回状の空間を意味する。なお、ランプ取扱時に旋回部をつかむことが多く、特に旋回部のバルブの一部に集中して圧力が加わった場合、旋回部のバルブが破損するおそれがあるため、旋回バルブの一部に集中した外部圧力を旋回部補強手段により分散させ、バルブの破損を抑制することが可能である。なお、補強手段は、互いのバルブ外表面に面接着していても、点状に接着していても、一方側のバルブ外表面のみに密着していて他方のバルブ表面とはごくわずかな隙間を有するものであっても構わない。
【００１２】
また、一対のバルブ端部近傍の旋回部において、ホルダとバルブ間に補強手段が介在していても構わない。
【００１３】
発光管の電極は、一対のウエルズに懸架されたフィラメントコイルを通常使用し、ウエルズが電極封止端部に封止され、フィラメントコイルが電極封止端部より離れたバルブ内の位置に配置される。
【００１４】
口金は、Ｅ形と称されるねじ込みタイプが通常使用されるが、一般照明用電球が装着されるソケットに取付可能であればこれに限定されない。
【００１５】
カバーは、発光管のバルブ両端部を直接または間接的に支持している。
【００１６】
点灯装置は、例えば、１０ｋＨｚ以上の高周波電力を発光管に印加して発光管を点灯させる電子部品を主体としたインバータ回路などで構成してもよい。
【００１７】
請求項２記載の電球形蛍光ランプは、請求項１記載の電球形蛍光ランプの前記折り返し部とこの折り返し部に隣接する旋回部との間に形成される隙間に折り返し部補強手段が設けられていることを特徴とするものである。
【００１８】
折り返し部は螺旋状のバルブの中で屈曲形成に伴う変形の度合いが大きいため、直接折り返し部にトルク圧力が加わらない場合であっても、その影響を受けやすく破損しやすい。すなわち、ランプ取り扱いの際、旋回部をつかんで旋回部が破損しない程度に多少変形した場合に、その応力が伝わって折り返し部が破損するおそれがある。そこで、折り返し部から旋回部に隣接する隙間にさらに補強手段を介在させることで折り返し部が変形し破損することを抑制することができる。
【００１９】
なお、この隙間に設ける補強手段として、例えばチューブ状の透光性樹脂や、バルブ肉厚と同等以上からなるガラス管などが挙げられる。なお、この隙間は旋回部間の隙間に比べて比較的大きいため、シリコーン樹脂やセメントなどの硬化前に粘性の低い材料を付着させることは困難であるが、付着可能であれば採用することができる。すなわち、旋回部の変形に伴う影響を折り返し部が受け、破損することを抑制可能であれば、素材や形状などは限定されるものではない。
【００２０】
請求項３記載の照明器具は、ソケットが設けられた器具本体と；器具本体のソケットに装着される請求項１または２記載の電球形蛍光ランプと；を具備しているものである。
【００２１】
器具本体は、例えば、ダウンライトなどであるが、一般照明用電球を使用する器具本体であればこれに限定されない。ソケットは、Ｅ形と称されるねじ込みタイプが通常使用されるが、一般照明用電球が装着されるソケットであればこれに限定されない。
【発明の効果】
【００２２】
請求項１記載の電球形蛍光ランプによれば、少なくとも旋回部の隣り合うガラスバルブの間に設けられた旋回部補強手段が介在しているので、旋回部にトルク応力が加わったとしても、その圧力は補強手段により分散されるので旋回部の変形を抑制することができ、バルブ強度を向上することができる。
【００２３】
請求項２記載の電球形蛍光ランプによれば、請求項１記載の電球形蛍光ランプの効果に加えて、螺旋状バルブの比較的屈曲率が大きく、強度の弱い折り返し部から旋回部に隣接する隙間に折り返し部補強手段を介在させているので、ランプ取り扱い時にトルク圧力が加わって折り返し部に伝わった場合でも、その影響を低減し、破損してバルブ強度を向上することができる。
【００２４】
請求項３記載の照明器具によれば、請求項１または２記載の電球形蛍光ランプを用いることによって商品性の高い照明器具を提供できる。
【図面の簡単な説明】
【００２５】
【図１】本発明の第１の実施形態に係る電球形蛍光ランプを示す概略側面図。
【図２】同上電球形蛍光ランプの上面図である。
【図３】同上電球形蛍光ランプを用いた照明器具の断面図である。
【発明を実施するための形態】
【００２６】
以下、本発明の実施の形態を、図面を参照して説明する。
【００２７】
図１ないし図３に第１の実施の形態を示す。図１は電球形蛍光ランプの断面図、図２は図１の電球形蛍光ランプの上面図、図３は電球形蛍光ランプを用いた照明器具の断面図である。
【００２８】
図１および図２において、１１は電球形蛍光ランプで、この電球形蛍光ランプ１１は、電球形蛍光ランプ１１の軸方向（高さ方向）の一端に口金１２が取り付けられたカバー１３と、このカバー１３の他端側に支持された発光管１４と、この発光管１４の一端側を支持してカバー１３の他端側に取り付けられたホルダ１５と、口金１２、カバー１３およびホルダ１５の内側に収納された点灯装置１６とを備えている。そして、定格電力が例えば４０Ｗタイプ、６０Ｗタイプ、１００Ｗタイプの白熱電球などの一般照明用電球に近い寸法に形成されている。この一般照明用電球とは、ＪＩＳ
Ｃ ７５０１に定義されている。
【００２９】
そして、口金１２は、例えばエジソンタイプのＥ２６形などで、ねじ山を備えた筒状のシェル２１、このシェル２１の一端側の頂部に絶縁部２２を介して設けられたアイレット２３を備えている。シェル２１の他端側はカバー１３の一端部に被せてかしめまたは接着などにより固定されている。
【００３０】
また、カバー１３は、例えばポリブチレンテレフタレート（ＰＢＴ）などの耐熱性合成樹脂にて形成され、一端側には口金１２のシェル２１が取り付けられる円筒状の口金取付部２６が形成され、他端側には拡開した円環状のカバー部２７が形成されている。
【００３１】
また、発光管１４は、両端に一対の電極封止端部３０が形成された１本のバルブ３１を有し、このバルブ３１には旋回部３２が形成されているとともに一対の電極封止端部３０を有する一対の直管部３３が旋回部３２から一端側に突出形成されている。
【００３２】
旋回部３２は、１本のバルブ３１を二等分するようにバルブ３１の中央領域が屈曲されるともに、このバルブ３１の屈曲された中央領域を頂部３４としてバルブ３１の両端側が螺旋状に湾曲された２重螺旋形状に形成されている。頂部３４には折り返し部３５が設けられ、この折り返し部３５を挟んで両側から旋回部３２が形成されている。折り返し部３５と旋回部３２間には一対の頂部空間３６が形成されている。また、旋回部３２の外形形状は、軸方向に沿って略同径に形成されている。なお、旋回部３２の外形状は、軸方向の中間部の径が一端側および他端側の径より大きい略球形となるように形成してもよい。
【００３３】
一対の直管部３３は、頂部３４と反対側の一端方向へ向かって軸方向と平行に突出されている。
【００３４】
補強手段５０としての旋回部スペーサー５１は、旋回部３２の隣り合うバルブの旋回状の隙間に、硬度４０程度の透光性を有する自然乾燥シリコーン樹脂が隙間なく充填されている。この旋回部スペーサー５１は、発光管の旋回部３２をつかんで電球形蛍光ランプ１１を回転させたときに発生するトルク応力による変形を抑制するよう充填されていれば、その充填方法や接着面積などは特に限定されない。
【００３５】
この一対の頂部空間３６と折り返し部３５側の間には透光性の樹脂からなるチューブ状の折り返し部スペーサー５２が介在している。折り返し部スペーサー５２は、まず一方側の隙間にシリコーン樹脂などからなる接着剤により接着固定し、次に螺旋状バルブの内側空間内でＵ字状に湾曲させ、内側空間から外側空間へとチューブを引き出し、隙間に填め込み、シリコーン樹脂により接着させることにより、取り付けられている。なお、折り返し部スペーサー５２は、１本の樹脂チューブを２本用いて、隙間にそれぞれを介在させても構わない。すなわち、折り返し部３５の変形を抑制可能であれば、折り返し部スペーサーはガラス材であっても、セメントであってもその材質および取り付け方法などは限定されるものではない。
【００３６】
バルブ３１の内面には、例えば３波長形の蛍光体膜が塗布形成されている。
【００３７】
バルブ３１の内部には、例えばアルゴン（Ａｒ）、ネオン（Ｎｅ）、あるいはクリプトン（Ｋｒ）などの希ガスや水銀などを含む封入ガスが封入されている。
【００３８】
バルブ３１の一対の電極封止端部３０には、例えばフレアステムによって一対の電極３７が封止されている。各電極３７は、フレアステムに封止された一対のウエルズに懸架されたフィラメントコイルを有している。一対のウエルズは、フレアステムから外部に導出されて点灯装置１６に接続される一対のワイヤに接続されている。
【００３９】
バルブ３１の各電極封止端部３０には、フレアステムに取り付けられた排気管とも呼ばれる円筒状の細管３８が連通状態に突設されている。これら各細管３８は、発光管１４の製造過程で溶断によって順次封止され、各細管３８のうちの封止されていない一部を通じて発光管１４内の排気がなされるとともに、封入ガスが封入されて置換された後に、その細管３６を溶断することによって封止される。
【００４０】
一方の細管３８には、封止する際にアマルガムとしての主アマルガム３９が封入されている。この主アマルガム３９は、ビスマス、錫および水銀にて構成される合金であり、略球形状に形成され、発光管１４内の水銀蒸気圧を適正な範囲に制御する作用を有している。なお、主アマルガム３９としては、ビスマス、錫の他に、インジウム、鉛などを組み合わせた合金によって形成したものを用いてもよい。また、電極３７のウエルズに、水銀吸着放出作用を有する補助アマルガムを取り付けてもよい。
【００４１】
また、ホルダ１５は、例えばポリブチレンテレフタレート（ＰＢＴ）などの耐熱性合成樹脂材料にて形成され、円板状のホルダ部４１、およびこのホルダ部４１の周縁部から一端側に突出する円筒状の筒部４２を備えている。
【００４２】
ホルダ部４１には、発光管１４の一対の直管部３３が挿入される一対の円形の支持孔４３が形成されている。
【００４３】
ホルダ部４１の内側には発光管１４の各直管部３３とホルダ１５とを接着固定するための図示しない接着剤を充填する接着剤充填部が形成されている。接着剤には、例えば、酸化カルシウム、シリカ、アルミナまたは、これらの混合物などが添加されたセメントや、シリコーン樹脂などが用いられている。
【００４４】
筒部４２にはカバー１３の他端側の内側に嵌合される図示しない嵌合部が形成され、ホルダ１５とカバー１３とを固定されている。
【００４５】
また、点灯装置１６は、基板６１を備え、この基板６１の両側面に点灯回路６２を構成する複数の電子部品６３が実装されている。この基板６１は、この基板６１の両側縁部がカバー１３およびホルダ１５に差し込み係合されてカバー１３およびホルダ１５の中心軸の方向に沿って縦形に配置されるとともに、カバー１３およびホルダ１５の中心線に対してオフセットした位置に配置されている。基板６１には、点灯回路６２の電源入力側に口金１２のシェル２１およびアイレット２３がリード線で接続され、点灯回路６２のランプ出力側に発光管１４の各電極封止端部３０から導出されている各電極３５の一対のワイヤが接続されている。
【００４６】
次に、電球形蛍光ランプ１１を組み立てるには、発光管１４の各直管部３３をホルダ１５の各支持孔４３に挿入し、ホルダ１５の内側から発光管１４の各直管部３３とホルダ１５との間に接着剤などを充填し、これらを接着固定する。
【００４７】
ホルダ１５の内側に基板６１を差し込み、ホルダ１５の内側に引き出されている発光管１４の各ワイヤを基板６１に接続する。
【００４８】
カバー１３の基板保持部２８に基板６１の一端側を差し込むとともに、カバー１３とホルダ１５とを組み合わせて固定する。
【００４９】
基板６１と口金１２のシェル２１およびアイレット２３とをそれぞれ接続し、シェル２１をカバー１３の口金取付部２６にかしめや接着によって固着する。
【００５０】
このように形成された電球形蛍光ランプ１１は、電球形蛍光ランプ２２の軸方向の全長は１００〜１１０ｍｍ、発光管１４の最大径部が３５〜４０ｍｍ、カバー１３の最大径部が３０〜４０ｍｍである。より具体的には、電球形蛍光ランプ１１の軸方向の全長が１０７ｍｍ、発光管１４の最大径部が４０ｍｍ、カバー１３の最大径部が３２ｍｍ、ランプ出力は１０Ｗであり、６０Ｗ形の一般照明用電球に近似した外観であって一般照明用電球に置き換えて使用できる。
【００５１】
さらに、補強手段５０としての旋回部スペーサー５１を、旋回部３２の隣り合うバルブの旋回状の隙間に、介在しているので、器具へのランプ取り付け取外しなどの作業において、旋回部３２にトルク応力が加わったり、旋回部３２を強く握ったとしても旋回部３２の変形が抑制されその応力を旋回部スペーサー５１によりバルブ全体に分散できるので発光管１４の破損を抑制することができる。さらに、折り返し部スペーサー５２を設けることで、旋回部３２に加わったトルク圧力により旋回部３２が破損しない程度に変形し、折り返し部３５に応力が加わったとしても、折り返し部スペーサー５２により折り返し部３５が変形することを抑制できる。
【００５２】
また、補強手段５０としての各スペーサーは、透光性を有する部材により形成されているので、バルブ３１内に囲まれた内側からの光を効率よく照射することができる。さらに、螺旋バルブの蛍光体膜の肉厚差などによる光出力のばらつきが発生しても、旋回部スペーサー５１によりそのばらつきを目立たなくさせる効果も奏する。
【００５３】
図３は本発明の第１の実施形態に係る照明装置７１の概略構成図であり、電球形蛍光ランプ１１は、ダウンライトである照明器具７１に使用できる。この照明器具７１は、器具本体７２を有し、この器具本体７２内にソケット７３および反射体７４が取り付けられ、ソケット７３には電球形蛍光ランプ１１が装着される。
【符号の説明】
【００５４】
１１・・電球形蛍光ランプ、１２・・口金、１３・・カバー、１４・・発光管、１５・・ホルダ、１６・・点灯装置、３０・・電極封止端部、３１・・バルブ、３２・・旋回部、３４・・頂部、３５・・折り返し部、３６・・頂部空間、５０・・補強手段、５１・・旋回部スペーサー、５２・・折り返し部スペーサー、
【図１】
2011023193.tif 000003
【図２】
2011023193.tif 000004
【図３】
2011023193.tif 000005